(57)【要約】【課題】  ドア監視ユニットが遊技機に設けられる場合、ドア監視ユニットに関する配線の存在により、遊技機内に存在する配線が複雑に入り乱れることを回避できるか、又は、ドア監視ユニットが遊技機に設けられる場合、非接触通信における通信信号の強度の減衰を回避できる遊技機を提供する。【解決手段】  遊技機１は、遊技機を構成する機器を収納する筐体の前面側に設けられ、筐体に対して開閉可能に構成された前面扉と、前面扉の開閉を監視する扉監視ユニットと、扉監視ユニットによる前面扉の開閉の監視に関連する処理を行う関連処理基板と、扉監視ユニットと前記関連処理基板とを配線を介して電気的に接続するための中継基板とを有する。扉監視ユニットは、前面扉の裏面であり、かつ、前記中継基板の近傍に設けられている。【選択図】      図６
2005348942.tif 000002
【特許請求の範囲】
【請求項１】
遊技機の正面側から見て、前記遊技機を構成する機器を収納する筐体の前面側に設けられ、前記筐体に対して開閉可能に構成された前面扉と、
前記前面扉の開閉を監視する扉監視ユニットと、
前記扉監視ユニットによる前面扉の開閉の監視に関連する処理を行う関連処理基板と、
前記扉監視ユニットと前記関連処理基板とを配線を介して電気的に接続するための中継基板とを有し、
前記扉監視ユニットは、前記前面扉の裏面であり、かつ、前記中継基板の近傍に設けられていることを特徴とする遊技機。
【請求項２】
前記前面扉の裏面から表面に貫通する位置に設けられた表示装置を有し、
前記関連処理基板は、前記扉監視ユニットによる前面扉の開閉の監視に関連する表示を、前記表示装置に行わせる表示制御基板であることを特徴とする請求項１に記載の遊技機。
【請求項３】
前記扉監視ユニットには、遊技機の外部にある通信装置との間で非接触通信を行うための非接触通信部が設けられており、
前記前面扉には、前記非接触通信部から出力される信号と、前記通信装置から出力される信号とが通過可能に構成された窓部が設けられており、
前記前面扉の裏面において、前記窓部の近傍、又は、遊技機の正面側から見て高さ方向及び横方向からなる２次元座標上で、前記窓部の領域のうち少なくとも一部の領域を含む領域に、前記扉監視ユニットが配置されていることを特徴とする請求項１又は２に記載の遊技機。
【請求項４】
前記関連処理基板は、前記扉監視ユニット及び前記中継基板を介して、前記通信機器から送られてきた情報に関連する処理を行うことを特徴とする請求項３に記載の遊技機。
【請求項５】
遊技機の正面側から見て、前記遊技機を構成する機器を収納する筐体の前面側に設けられ、前記筐体に対して開閉可能に構成された前面扉と、
前記前面扉の開閉を監視し、前記遊技機の外部にある通信装置との間で非接触通信を行うための非接触通信部を備える扉監視ユニットとを有し、
前記前面扉には、前記非接触通信部から出力される信号と、前記通信装置から出力される信号とが通過可能に構成された窓部が設けられており、
前記前面扉の裏面において、前記窓部の近傍、又は、遊技機の正面側から見て高さ方向及び横方向からなる２次元座標上で、前記窓部の領域のうち少なくとも一部の領域を含む領域に、前記扉監視ユニットが配置されていることを特徴とする遊技機。
【発明の詳細な説明】
【技術分野】
【０００１】
本発明は、パチスロ機などの遊技機に関する。
【背景技術】
【０００２】
従来のパチスロ機などの遊技機においては、遊技機の筐体の前面側に設けられた前面ドアの開閉状況を監視するドア監視ユニットが設けられていた。このようなドア監視ユニットによれば、前面ドアの開閉状況が例えば、ホール端末などに送られることが可能なので、監視員は、遊技機の前面ドアが不正に開放されたことなどを知ることができ、不正装置の設置や不正配線の設置などを回避することが可能となる。
【０００３】
このようなドア監視ユニットを取り付けるための遊技機としては、例えば、特開２００１−１７０２４９号公報に記載された遊技機や、特開２００３−２６０１７６号公報に記載された遊技機があった。
【特許文献１】特開２００１−１７０２４９号公報
【特許文献２】特開２００３−２６０１７６号公報
【発明の開示】
【発明が解決しようとする課題】
【０００４】
以上のような従来の遊技機に、ドア監視ユニットを組み込む場合には、以下のような問題があった。特開２００１−１７０２４９号公報に記載の遊技機においては、前面ドアの裏面には、遊技機内に収納された各種の機器間を電気的に接続するための基板が設けられている。この基板においては、各種の機器からの配線が多数取り付けられている。このような遊技機に、ドア監視ユニットを組み込む場合、例えば、上記基板にドア監視ユニットを配線を介して接続する必要がある。ここで、ドア監視ユニットの配線が、他の配線と入り交じってしまうと、遊技機内に存在する配線が複雑に入り乱れることになってしまう。この結果、ドア監視ユニットなどの各機器に関係する配線がわかりにくくなってしまい、ドア監視ユニットなどの各機器に関するメンテナンスに手間がかかってしまうという問題があった。
【０００５】
従って、ドア監視ユニットが遊技機に設けられる場合、ドア監視ユニットに関する配線の存在により、遊技機内に存在する配線が複雑に入り乱れることを回避できる遊技機の開発が望まれていた。
【０００６】
また、特開２００３−２６０１７６号公報では、遊技機の外部にある通信機器と、赤外線を用いた通信を行う遊技機が記載されている。このような遊技機に、ドア監視ユニットを組み込み、上記通信機器とドア監視ユニットとの間で、赤外線による通信が行われるためには、遊技機内において、上述の赤外線による通信が行えることが可能な位置に、ドア監視ユニットが配置される必要がある。ここで、遊技機内において、ドア監視ユニットが配置される位置によっては、赤外線による通信信号がドア監視ユニット又は通信機器に到達するまでに、減衰してしまうという問題がある。
【０００７】
従って、ドア監視ユニットが遊技機に設けられる場合、非接触通信における通信信号の強度の減衰を回避できる遊技機の開発が望まれていた。
【０００８】
本発明は、ドア監視ユニットが遊技機に設けられる場合、ドア監視ユニットに関する配線の存在により、遊技機内に存在する配線が複雑に入り乱れることを回避できる遊技機、又は、ドア監視ユニットが遊技機に設けられる場合、非接触通信における通信信号の強度の減衰を回避できる遊技機を提供することを目的とする。
【課題を解決するための手段】
【０００９】
上記目的を達成するために、本発明の遊技機は、遊技機の正面側から見て、前記遊技機を構成する機器を収納する筐体（例えば、筐体１ａ）の前面側に設けられ、前記筐体に対して開閉可能に構成された前面扉（例えば、前面ドア１ｂ）と、前記前面扉の開閉を監視する扉監視ユニット（例えば、ドア監視ユニット６０）と、前記扉監視ユニットによる前面扉の開閉の監視に関連する処理を行う関連処理基板（例えば、副制御基板４０，主制御基板３０など）と、前記扉監視ユニットと前記関連処理基板とを配線を介して電気的に接続するための中継基板（例えば、副制御基板用中継基板５１）とを有し、前記扉監視ユニットは、前記前面扉の裏面であり、かつ、前記中継基板の近傍に設けられていることを特徴とするものである。
【００１０】
本発明によれば、扉監視ユニットは、中継基板の近傍に設けられているので、中継基板と扉監視ユニットとの間の配線（例えば、図６に示す配線５１ｆ）が短くなる。このため、扉監視ユニットの配線（例えば、副制御基板用中継基板５１とドア監視ユニット６０との間の配線５１ｆ）が、他の配線（例えば、主制御基板用中継基板５０，副制御基板用中継基板５１と各基板や機器との間を接続するための配線）と入り交じってしまう事態が防止され、扉監視ユニットの配線の存在により、遊技機内に存在する配線が複雑に入り乱れることになってしまう事態が回避される。
【００１１】
また、上記発明において、前記前面扉の裏面から表面に貫通する位置に設けられた表示装置（例えば、液晶表示装置５）を有し、前記関連処理基板は、前記扉監視ユニットによる前面扉の開閉の監視に関連する表示（例えば、監視履歴情報の表示など）を、前記表示装置に行わせる表示制御基板（例えば、副制御基板４０）であるようにしてもよい。
【００１２】
この場合には、関連処理基板は、扉監視ユニットから送られてきた監視履歴情報の表示など、前面扉の開閉の監視に関連する表示を表示装置に行わせることができる。このため、遊技機の管理者、監視員などがホールコンピュータを介さないと、前面扉の開閉の監視に関連する情報（例えば、監視履歴情報など）を知ることができない場合に比べて、遊技機の管理者、監視員などは、ホールコンピュータを介しなくても、手軽に、前面扉の開閉の監視に関連する情報を知ることができ、遊技機の前面扉が不正に開放されたことなどを簡易に知ることができる。
【００１３】
また、上記発明において、前記扉監視ユニットには、遊技機の外部にある通信装置（例えば、携帯電話７０）との間で非接触通信（例えば、赤外線通信など）を行うための非接触通信部（例えば、第２ポート部６０ｂ）が設けられており、前記前面扉には、前記非接触通信部から出力される信号と、前記通信装置から出力される信号とが通過可能に構成された窓部（例えば、窓部２７が設けられており、前記前面扉の裏面において、前記窓部の近傍、又は、遊技機の正面側から見て高さ方向及び横方向からなる２次元座標上で、前記窓部の領域のうち少なくとも一部の領域を含む領域に、前記扉監視ユニットが配置されているようにしてもよい。
【００１４】
また、前面扉の裏面において、窓部の近傍又は遊技機の正面側から見て高さ方向及び横方向からなる２次元座標上で、前記窓部の領域のうち少なくとも一部の領域を含む領域に、扉監視ユニットが配置されている。このため、扉監視ユニットと、窓部との間の距離は短くなり、この結果、扉監視ユニットと、通信装置との間の距離も短くなる。このため、扉監視ユニットが、窓部から離れた位置に配置される場合に比べて、非接触通信による通信信号が扉監視ユニット又は通信装置に到達するまでに、減衰してしまうという事態が回避される。
【００１５】
また、上記発明において、前記関連処理基板は、前記扉監視ユニット及び前記中継基板を介して、前記通信機器から送られてきた情報に関連する処理（例えば、映像や音声のコンテンツを記憶させる処理、液晶表示装置５に表示させる処理）を行うようにしてもよい。
【００１６】
この場合には、関連処理基板は、上記処理として、送られてきた所定のコンテンツを記憶したり、表示装置に表示させることなどができる。このため、通信装置から送られてきた所定のコンテンツを記憶し、その後、適時、いろいろなコンテンツを表示装置に表示させることにより、遊技者に対して、変わった表示が行われると感じさせ、遊技者に対して、何か遊技中に面白いことや自分に有利なことが起こるかもしれないという期待やスリルを抱かせることができる場合がある。
【００１７】
また、本発明は、遊技機の正面側から見て、前記遊技機を構成する機器を収納する筐体の前面側に設けられ、前記筐体に対して開閉可能に構成された前面扉と、前記前面扉の開閉を監視し、前記遊技機の外部にある通信装置との間で非接触通信を行うための非接触通信部を備える扉監視ユニットとを有し、前記前面扉には、前記非接触通信部から出力される信号と、前記通信装置から出力される信号とが通過可能に構成された窓部が設けられており、前記前面扉の裏面において、前記窓部の近傍、又は、遊技機の正面側から見て高さ方向及び横方向からなる２次元座標上で、前記窓部の領域のうち少なくとも一部の領域を含む領域に、前記扉監視ユニットが配置されていることを特徴とするものである。
【発明の効果】
【００１８】
以上説明したように本発明によれば、扉監視ユニットが遊技機に設けられる場合、扉監視ユニットに関する配線の存在により、遊技機内に存在する配線が複雑に入り乱れることを回避できる遊技機、又は、扉監視ユニットが遊技機に設けられる場合、非接触通信における通信信号の強度の減衰を回避できる遊技機を提供することが可能となる。
【発明を実施するための最良の形態】
【００１９】
以下、本実施形態を図面を参照しながら、詳細に説明する。図１は、本実施形態のパチスロ機（以下、遊技機１という）を示す正面図であり、図２は、遊技機１において、前面ドア１ｂを開放した状態を示す外観模式図であり、図３は、本実施形態の遊技機１を含む通信システムの構成を説明するための概略ブロック図であり、図４は、遊技機１の正面側から見て、前面ドア１ｂの裏面を示す図である。ここで、同一部材には、同一符号が付されており、重複した説明は省略されている。
【００２０】
図２に示すように、遊技機１には、リール３Ｌ、３Ｃ、３Ｒなどの遊技機を構成する各機器が収容されている遊技機本体部（以下、筐体１ａという）と、筐体１ａの前面側（遊技機１の正面から見て、前面側）に設けられ、筐体１ａにヒンジ部１ｃを介して、回動可能に取り付けられている前面ドア１ｂとが設けられている。前面ドア１ｂの略中央には、液晶表示装置５が配置されている。
【００２１】
図１，図２に示すように、筐体１ａの内部には、３個のリール３Ｌ，３Ｃ，３Ｒ（ゲーム（遊技）に必要な複数の図柄を変動表示するもの）が回転自在に横一列に設けられており、その前面には、表示窓４Ｌ、４Ｃ、４Ｒが設けられている。各リールの外周面には、複数種類の図柄からなる図柄列が描かれ、これらの図柄は表示窓４Ｌ〜４Ｒを介して遊技者が視認できるようにされている。
【００２２】
図１に示すように、これらの表示窓４Ｌ〜４Ｒには、横３本及び斜め２本の入賞ライン（トップライン８ｂ，センターライン８ｃ、ボトムライン８ｄ、クロスダウンライン８ａ、クロスアップライン８ｅ）が設けられている。また、表示窓４Ｌ〜４Ｒの下方には、台座部１０が設けられている。台座部１０の上面部の右側には、遊技者がメダルを投入するためのメダル投入口２２が設けられている。
【００２３】
また、図１に示すように、台座部１０の上面部の左側には、押圧操作により、クレジット（貯留）されているメダルを１枚賭けるためのＢＥＴスイッチ１１と、押圧操作により、クレジットされているメダルを３枚賭けるためのＢＥＴスイッチ１２とが設けられている。なお、ＢＥＴスイッチ１１及びＢＥＴスイッチ１２の内部には、ＬＥＤが配置されており、メダルの投入が可能な場合には、上記ＬＥＤが点灯するようになっている。
【００２４】
また、台座部１０の上面部の中央には、遊技情報表示装置１７が設けられている。遊技情報表示装置１７は、ボーナス関連カウント表示部を有する。このボーナス関連カウント表示部は、７セグメントＬＥＤからなり、ビッグボーナス（以下、ＢＢという）又はレギュラーボーナス（以下、ＲＢという）が入賞した場合、ジャックゲームの入賞回数や、ＢＢ一般遊技状態におけるゲーム回数などをデジタル表示する。また、遊技情報表示装置１７は、投入されたメダルの枚数をデジタル表示し、７セグメントＬＥＤからなる遊技投入表示部と、役が入賞した場合のメダルの払出枚数をデジタル表示し、７セグメントＬＥＤからなる払出表示部と、クレジットされているメダルの枚数をデジタル表示し、７セグメントＬＥＤからなるクレジット表示部と、リールの回転が可能な場合に点灯する遊技開始表示部と、停止ボタンの操作が可能な場合に点灯する遊技停止表示部と、ＢＢ又はＲＢが入賞可能となった後、ＢＢ又はＲＢが入賞するまでの間点灯する当たり表示部を有する。
【００２５】
また、台座部１０の前面部の左側には、遊技機１の外部にある携帯電話７０と、後述するドア監視ユニット６０とが通信を行うための窓部２７が設けられている。この窓部２７の詳細な説明は後述する。窓部２７の右側には、遊技者の操作により、リール３Ｌ、３Ｃ、３Ｒを回転させ、表示窓４Ｌ、４Ｃ、４Ｒ内での図柄の変動表示を開始させるためのスタートレバー６が所定の角度範囲で、回動自在に取り付けられている。
【００２６】
また、台座部１０の前面部の中央には、台座部１０の前面部中央で、３個のリール３Ｌ，３Ｃ，３Ｒの回転をそれぞれ停止させるための３個の停止ボタン７Ｌ，７Ｃ，７Ｒが設けられている。なお、停止ボタン７Ｌ，７Ｃ，７Ｒの内部には、ＬＥＤが配置されており、停止ボタンの操作が可能な場合には、上記ＬＥＤが点灯するようになっている。
【００２７】
また、台座部１０の前面部の右側には、遊技者が液晶表示装置５の液晶画面の切り換え又は所定の情報を入力するための情報入力部２９が設けられている。情報入力部２９の右側には、投入されたメダル又はクレジットされているメダルをメダル払出口１５から払い戻す（精算）ためのメダル精算ボタン２５が設けられている。メダル精算ボタン２５の右側には、ゲーム中における打ち止めを解除するか、又は、前面ドアを開放させるための開放／打ち止め解除部２４が設けられている。開放／打ち止め解除部２４は、遊技者が、開放／打ち止め解除部２４に備えられているスイッチを左に回すことにより、ゲーム中における打ち止めを解除する機能を有し、遊技者が、開放／打ち止め解除部２４に備えられているスイッチを右に回すことにより、前面ドア１ｂを開放状態にさせる機能を有する。
【００２８】
また、遊技機１の上方の左右には、スピーカ２１Ｌ，２１Ｒが設けられ、その２台のスピーカ２１Ｌ，２１Ｒの間には、ＬＥＤにより、遊技状態に応じた演出表示を行うための遊技状態表示部２３が設けられている。
【００２９】
また、台座部１０の下方には、スピーカ２１Ｌ，２１Ｒが設けられ、その２台のスピーカ２１Ｌ，２１Ｒの間には、入賞図柄の組合せ及びメダルの配当枚数などを表示するパネル部２８が設けられている。なお、台座部１０の下方に設けられたスピーカ２１Ｌ，２１Ｒは、重低音用のものであり、遊技機１に設けられていなくてもよい。
【００３０】
また、図１に示すように、遊技機１の下方には、メダルを遊技者に対して払い出すためのメダル払出口１５と、メダル払出口１５から払い出されたメダルを貯留するためのメダル受け部１６とが設けられている。
【００３１】
図２においては、前面ドア１ｂが開放された状態において、遊技機１内の一部の機器の配置関係が模式的に示されている。筐体１ａには、各リール３Ｌ、３Ｃ、３Ｒの上方には、主制御基板３０が配置されており、各リール３Ｌ、３Ｃ、３Ｒの左側には、副制御基板４０が配置されている。主制御基板３０、副制御基板４０の詳細な説明は後述する。前面ドア１ｂには、液晶表示装置５が設けられている。なお、図２では、図示する機器以外の機器や、機器間を接続する配線などは省略されている。
【００３２】
図３は、本実施形態の遊技機を含む通信システムの構成を示すブロック図である。通信システムは、遊技機１と携帯電話７０とを有する。
【００３３】
遊技機１は、筐体１ａ側に配置された主制御基板３０と、液晶表示装置５と、液晶表示装置５を制御する副制御基板４０とを有する。主制御基板３０は、スタートレバー６が操作された場合にはリール３Ｌ、３Ｃ、３Ｒの回転を開始させる。また、主制御基板３０は、リール３Ｌ、３Ｃ、３Ｒの回転中に、停止ボタン７Ｌ、７Ｃ、７Ｒが操作された場合には、操作された停止ボタンに対応するリールの回転を停止させる。また、主制御基板３０は、リール３Ｌ、３Ｃ、３Ｒの停止態様が所定の役の入賞態様である場合には、メダルの払い出しに関する制御指令（コマンド）を払出制御基板（図示せず）に出力し、払出制御基板に、所定数のメダルの払い出しを行わせる。なお、主制御基板３０は、スタートレバー６の操作に基づいて、乱数抽選などにより、当選役（例えば、ＢＢ、ＲＢ、小役、はずれなど）の決定を行う。また、主制御基板３０は、現在の遊技状態などの情報を外部集中端子板（図示せず）を介して、ホールコンピュータに送信する。この外部集中端子板は、筐体１ａに配置されている。
【００３４】
液晶表示装置５は、遊技に関する画像（例えば、演出画像など）を表示する。副制御基板４０は、例えば、主制御基板３０から送られてきたコマンドに基づいて、液晶表示装置５における表示を制御する。
【００３５】
また、遊技機１は、前面ドア１ｂ側に配置された副制御基板用中継基板５１と、ドア監視ユニット６０と、ドア監視センサ６５とを有する。
【００３６】
ドア監視ユニット６０は、前面ドア１ｂの開閉状況を監視する装置である。具体的には、ドア監視ユニット６０は、第１ポート部６０ａと、第２ポート部６０ｂと、フラッシュＲＯＭ６０ｄと，各部を制御するマイコン部６０ｃとを有する。なお、ドア監視ユニット６０は、マイコン部６０ｃの電源を供給する電源供給部（図示せず）を有する。
【００３７】
ドア監視センサ６５は、前面ドア１ｂの開放又は閉鎖に関する信号をマイコン部６０ｃに送る。マイコン部６０ｃは、ドア監視センサ６５から送られてきた信号に基づいて、定期的に、時刻と前面ドア１ｂの開放又は閉鎖に関する情報との対応を示す監視履歴情報を、フラッシュＲＯＭ６０ｄに書き込む。なお、フラッシュＲＯＭ６０ｄには、当該フラッシュＲＯＭ６０ｄを識別するための識別情報が記憶されており、外部から書き換えができないようにされている。
【００３８】
第１ポート部６０ａは、配線を介して、副制御基板用中継基板５１と接続されており、副制御基板４０との間で、各種の信号の送受信を行う。
【００３９】
第２ポート部６０ｂは、窓部２７を介して、携帯電話７０との間で非接触通信を行う。ここでは、非接触通信の一例として赤外線通信（例えば、通信可能範囲が１ｍ以内で最大伝送速度は４Ｍｂｐｓである通信（具体的には、ＩｒＤＡ（商標）と呼ばれる通信））の場合の説明を行う。携帯電話７０が赤外線通信を行う場合には、省電力モードで動作するので、赤外線の到達範囲が短い。このため、携帯電話７０とドア監視ユニット６０との間の距離は、赤外線による通信信号が携帯電話又はドア監視ユニットに到達する際に、最も通信信号の減衰が少なくできるように、約１０ｃｍから約２０ｃｍ以内であることが好ましい。
【００４０】
マイコン部６０ｃは、第１ポート部６０ａ，副制御基板用中継基板５１を介して、副制御基板４０と通信を行い、窓部２７を介して、携帯電話７０と通信を行う。
【００４１】
このように構成された通信システムでは、以下の動作が行われる。例えば、マイコン部６０ｃは、フラッシュＲＯＭ６０ｄから監視履歴情報を読み出し、監視履歴情報を示す信号を第１ポート部６０ａ，副制御基板用中継基板５１を介して、副制御基板４０に送信する。副制御基板４０は、送られてきた信号に基づいて、監視履歴情報を所定の記憶部に記憶させる。また、副制御基板４０は、送られてきた信号に基づいて、監視履歴情報を液晶表示装置５に表示させるようにしてもよい。この結果、副制御基板４０は、ドア監視ユニット６０による前面ドア１ｂの開閉の監視に関する処理（例えば、監視履歴情報の記憶処理、表示制御処理など）を行うといえる。また、副制御基板４０は、ドア監視ユニット６０による前面ドア１ｂの開閉の監視に関連する表示を、液晶表示装置５に行わせるといえる。
【００４２】
ここで、マイコン部６０ｃが監視履歴情報を読み出す契機は、作業者などの操作に基づく監視履歴情報要求信号をマイコン部６０ｃが取得したことであってもよい。また、マイコン部６０ｃは、定期的に、監視履歴情報を読み出すようにしてもよい。
【００４３】
また、携帯電話７０の使用者が、携帯電話７０を用いて、所定のコンテンツ（音声情報、映像情報など）を示す信号（以下、コンテンツ信号）と、遊技機１に記憶させる要求を示す要求信号を、赤外線通信により、遊技機１に送信する。窓部２７、第２ポート部６０ｂを介して、コンテンツ信号及び要求信号は、マイコン部６０ｃに送られる。マイコン部６０ｃは、要求信号に基づいて、コンテンツ信号と、副制御基板４０に記憶させるように指示することを示す指示信号とを、第１ポート部などを介して、副制御基板４０に送信する。副制御基板４０は、指示信号に基づいて、コンテンツ信号により特定されるコンテンツを所定の記憶部に記憶させる。なお、副制御基板４０は、コンテンツを所定の記憶部から読み出して、液晶表示装置５に表示、又は、スピーカ２１Ｌ、２１Ｒから出力させるようにしてもよい。また、副制御基板４０は、コンテンツ信号を受け取ったときに、コンテンツを液晶表示装置５に表示、又は、スピーカ２１Ｌ、２１Ｒから出力させるようにしてもよい。
【００４４】
この結果、副制御基板４０は、ドア監視ユニット６０及び副制御基板用中継基板５１を介して、携帯電話７０から送られてきた情報（例えば、コンテンツ）に関連する処理（記憶処理、表示制御処理など）を行うといえる。
【００４５】
また、図２，図４に示すように、前面ドア１ｂの略中央には、液晶表示装置５が設けられている。具体的には、前面ドア１ｂの裏面の略中央には、開口が設けられており、この開口に、液晶表示装置５が挿嵌されている。即ち、液晶表示装置５は、前面ドア１ｂの裏面から表面に貫通する位置に設けられている。
【００４６】
液晶表示装置５は、液晶パネルと、拡散シートと、導光板と、反射シートと、冷陰極管（以下、液晶用冷陰極管という）と、放熱板、リアフレームを有する。なお液晶表示装置５には、この他に、液晶パネルを駆動するＩＣを搭載したテーブルキャリアパッケージ（ＴＣＰ）を含むフレキシブル基板があるが、一般の液晶表示装置に使用されているものと同様の構成であるので、その説明は省略する。
【００４７】
液晶パネルは、一対の透明基板と、その間に挟持された液晶材料とから構成されている。この液晶パネルの表示モードは、電圧無印加状態で白表示を行うノーマリーホワイトに設定されている。これにより、液晶パネルに電圧が印加されない状態で、表示窓４Ｌ、４Ｃ、４Ｒ内の図柄を前面側から遊技者が視認することが可能となり、遊技者が遊技を継続することができる。なお、液晶パネルの前面には、種々の画像などが表示された表示板、保護ガラスが遊技機１の１正面側から順次配置されている。
【００４８】
遊技機１の正面側から見て、液晶パネルの裏面側には、拡散シートを介して、導光板が配置されている。導光板の裏面側には、反射シートが配置されている。また、導光板の上下端部に沿って、液晶用冷陰極管が配置されている。
【００４９】
導光板は、透光性材料で構成されている。導光板には、各リールの図柄を遊技者が表示窓から視認できるようにするための３つの図柄視認領域が、各表示窓４Ｌ、４Ｃ、４Ｒにそれぞれ対応して設けられている。ここで、図柄視認領域は、導光板を切り欠くことにより形成される開口であってもよいし、各リールの図柄を遊技者が表示窓から視認できるような透明度を有する透明材料で構成されてもよい。
【００５０】
反射シートは、導光板からの光を液晶パネル側に反射させるものであり、例えば、白色のポリエステルフィルムで構成されてもよい。反射シートにおいては、以下のような開口が形成されている。即ち、遊技機１の正面側から見て、導光板の図柄視認領域を含むとともに、図柄視認領域より大きな領域の開口が、各図柄視認領域ごとに設けられている。
【００５１】
これにより、導光板からの光の一部が、反射シートに反射されずに、リール側に向かうので、導光板からの光のほとんどが液晶パネルに送られるのではなく、リールに送られる光の量も多くすることができるので、リールの表示を照明するための補助用の光源を設ける必要がない。
【００５２】
また、液晶用冷陰極管は、導光板に光を入射させるものであり、導光板とともに、液晶パネルのバックライトの機能を有する。
【００５３】
なお、反射シートの裏面側には、液晶用冷陰極管により発生する熱を吸収し、液晶表示装置５内の過度な温度上昇を抑制するための放熱板が配置されている。この放熱板の裏面側には、導光板を裏面から支持するためのリアフレームが配置されている。これらの放熱板及びリアフレームにおいては、以下のような開口が形成されている。即ち、遊技機１の正面側から見て、反射シートに形成された開口と略一致する大きさの開口が、反射シートの開口と重なる位置に設けられている。そして、リアフレームの裏面側には、リール３Ｌ、３Ｃ、３Ｒが、それぞれ、表示窓４Ｌ、４Ｃ、４Ｒに対応して設けられている。
【００５４】
また、前面ドア１ｂの裏面において、液晶表示装置５の左側（前面ドア１ｂの裏面側から見て左側、以下、前面ドア１ｂの裏面に配置された各機器の説明における方向（右、左など）は、前面ドア１ｂの裏面側から見た場合の方向である）には、液晶用冷陰極管のインバータ８２が配置されている。液晶表示装置５の上方の左右には、スピーカ２１Ｌ、２１Ｒが配置されており、スピーカ２１Ｌ、２１Ｒの間には、遊技状態表示部２３を構成する遊技状態表示基板２３ａが配置されている。
【００５５】
また、前面ドア１ｂの裏面において、液晶表示装置５の下方には、遊技情報表示装置１７を構成する遊技情報表示基板１７ａが配置されている。また、遊技情報表示基板１７ａの下方には、停止ボタン７Ｌ、７Ｃ、７Ｒの操作に応じて、対応するリールの回転を停止させるとともに、停止ボタンの内部のＬＥＤを点灯させるための停止ボタン基板７ａが配置されている。停止ボタン基板７ａの左側には、情報入力部２９を構成する情報入力基板２９ａが配置されている。また、停止ボタン基板７ａの右側には、ＢＥＴスイッチ１２の操作に応じて、クレジットされているメダルを３枚賭ける処理を行うとともに、ＢＥＴスイッチ１２の内部のＬＥＤを点灯させるためのメダル投入基板１２ａが配置されている。メダル投入基板１２ａの右側には、スタートレバー６が配置されている。
【００５６】
また、停止ボタン基板７ａの下側には、パネル部２８を照明するための冷陰極管８１が配置されている。
【００５７】
また、前面ドア１ｂの裏面において、スタートレバー６の右側には、窓部２７が形成されている。窓部２７は、ドア監視ユニット６０の第２ポート部６０ｂから出力される赤外線による信号と、携帯電話７０から出力される赤外線による信号とが通過可能に構成されている。具体的には、窓部２７は、ドア監視ユニット６０と携帯電話７０との間で、赤外線通信が可能な部材で構成されている。なお、窓部２７の部分には、前面ドア１ｂの裏面から表面に貫通する開口が形成されていてもよい。
【００５８】
窓部２７のすぐ下には、ドア監視ユニット６０が配置されている。前面ドア１ｂの裏面にドア監視ユニット６０を取り付ける方法の説明は後述する。
【００５９】
前面ドア１ｂの裏面において、ドア監視ユニット６０の下部分を裏面側から覆うように、主制御基板用中継基板（以下、メイン用中継基板という）５０及び副制御基板用中継基板（以下、サブ用中継基板という）５１とが配置されている。ここで、サブ用中継基板５１は、ドア監視ユニット６０と副制御基板４０とを配線を介して電気的に接続するための中継基板である。メイン用中継基板５０及びサブ用中継基板５１の具体的な説明は以下のとおりである。
【００６０】
図５は、メイン用中継基板５０及びサブ用中継基板５１の構成を示す図である。図５に示すように、メイン用中継基板５０においては、メダルセレクター８０からの配線の先端に取り付けられたコネクタを嵌め込ませるためのメダルセレクター用コネクタ５０ａが配置されている。メダルセレクター用コネクタ５０ａの右側には、停止ボタン基板７ａからの配線の先端に取り付けられたコネクタを嵌め込ませるための停止ボタン用コネクタ５０ｂが配置されている。また、メダルセレクター用コネクタ５０ａの下側には、メダル精算ボタン２５からの配線と接続するための精算ボタン用接続部５０ｈが配置されており、精算ボタン用接続部５０ｈの下側には、開放／打ち止め解除部２４からの配線と接続するための打ち止め解除用接続部５０ｉが配置されている。
【００６１】
また、精算ボタン用接続部５０ｈの右側には、電源投入時に、ＢＢのゲームが終了した後、打ち止めの有無を設定するための打ち止め設定用スイッチ５０ｊが配置されており、打ち止め設定用スイッチ５０ｊの右側には、電源投入時に、ＢＢのゲームが終了した後、自動的にメダルの精算の有無を設定するための自動精算用スイッチ５０ｌが配置されている。また、打ち止め設定用スイッチ５０ｊの下側には、エラーが発生した場合に、エラー状態を解除するためのリセットスイッチ５０ｋが配置されている。
【００６２】
また、自動精算用スイッチ５０ｌの右側には、遊技情報表示基板１７ａからの配線の先端に取り付けられたコネクタを嵌め込ませるための遊技情報表示用コネクタ５０ｆが配置されている。また、遊技情報表示用コネクタ５０ｆの下側には、主制御基板３０からの配線の先端に取り付けられたコネクタを嵌め込ませるための主制御用コネクタ５０ｇが配置されている。
【００６３】
また、メイン用中継基板５０においては、メダル投入基板１２ａからの配線の先端に取り付けられたコネクタを嵌め込ませるためのＭＡＸ−ＢＥＴコネクタ５０ｃが配置されている。ＭＡＸ−ＢＥＴコネクタ５０ｃの右側には、１−ＢＥＴコネクタ５０ｄが配置されている。１−ＢＥＴコネクタ５０ｄは、所定の基板（ＢＥＴスイッチ１１の操作に応じて、クレジットされているメダルを１枚賭けるとともに、ＢＥＴスイッチ１１の内部のＬＥＤを点灯させるための基板）からの配線の先端に取り付けられたコネクタを嵌め込ませるためのコネクタである。
【００６４】
１−ＢＥＴコネクタ５０ｄの右側には、スタートレバー６からの配線の先端に取り付けられたコネクタを嵌め込ませるためのスタートレバーコネクタ５０ｅが配置されている。
【００６５】
このようなメイン用中継基板５０は、例えば、メダルセレクター８０からの配線、メダルセレクター用コネクタ５０ａを介して、メダルセレクター８０からの信号を受け取ると、主制御用コネクタ５０ｇを介して、上記信号を主制御基板３０に中継送信する。停止ボタン基板７ａ、メダル投入基板１２ａ、スタートレバー６から、メイン用中継基板５０に信号が送られてきた場合も、同様に、メイン用中継基板５０は、上記信号を主制御基板３０に中継送信する。また、メイン用中継基板５０は、各種のスイッチ（打ち止め設定用スイッチ５０ｊ、自動精算用スイッチ５０ｌ、リセットスイッチ５０ｋ）により設定されている情報を示す信号を、主制御用コネクタ５０ｇを介して、主制御基板３０に送信する。
【００６６】
また、主制御基板３０から、主制御用コネクタ５０ｇを介して、遊技情報表示基板１７ａを駆動制御するための信号がメイン用中継基板５０に送られた場合、メイン用中継基板５０は、上記信号を、遊技情報表示用コネクタ５０ｆを介して、遊技情報表示基板１７ａに中継送信する。
【００６７】
また、サブ用中継基板５１においては、情報入力基板２９ａからの配線の先端に取り付けられたコネクタを嵌め込ませるための入力基板用コネクタ５１ａが配置されている。入力基板用コネクタ５１ａの右側には、ドア監視ユニット６０からの配線の先端に取り付けられたコネクタを嵌め込ませるためのドア監視用コネクタ５１ｂが配置されている。ドア監視用コネクタ５１ｂの下側には、副制御基板４０からの配線の先端に取り付けられたコネクタを嵌め込ませるための副制御用コネクタ５１ｃが配置されている。
【００６８】
また、副制御用コネクタ５１ｃの下方の左側には、液晶用冷陰極管のインバータ８２からの配線の先端に取り付けられたコネクタを嵌め込ませるためのインバータ用コネクタ５１ｅが配置されている。インバータ用コネクタ５１ｅの右側には、スピーカ２１Ｌ、２１Ｒからの配線の先端に取り付けられたコネクタを嵌め込ませるためのスピーカ用コネクタ５１ｄが配置されている。
【００６９】
このようなサブ用中継基板５１においては、情報入力基板２９ａからの配線、入力基板用コネクタ５１ａを介して、情報入力基板２９ａからの信号（例えば、液晶表示装置５の液晶画面を切り換えることを示す信号）を受け取ると、副制御用コネクタ５０ｃを介して、上記信号を副制御基板４０に中継送信する。
【００７０】
また、サブ用中継基板５１は、ドア監視用コネクタ５１ｂを介して、ドア監視ユニット６０からの信号を受け取ると、副制御用コネクタ５０ｃを介して、上記信号を副制御基板４０に中継送信する。また、サブ用中継基板５１は、副制御用コネクタ５０ｃを介して、
、副制御基板４０からの信号を受け取ると、ドア監視用コネクタ５１ｂを介して、上記信号をドア監視ユニット６０に中継送信する。
【００７１】
また、サブ用中継基板５１は、副制御用コネクタ５０ｃを介して、スピーカ２１Ｌ、２１Ｒを駆動制御するための信号を受け取ると、スピーカ用コネクタ５１ｄを介して、上記信号をスピーカ２１Ｌ、２１Ｒに中継送信する。
【００７２】
そして、上述のように構成されたメイン用中継基板５０及びサブ用中継基板５１には、メイン用中継基板５０及びサブ用中継基板５１の前面及び裏面を覆うようなカバー部５３が、取り付けられている。このカバー部５３は、メイン用中継基板５０及びサブ用中継基板５１の表面に形成された回路を保護するためのものである。ここで、カバー部５３がメイン用中継基板５０及びサブ用中継基板５１に取り付けられた状態で、カバー部５３には、各コネクタ（例えば、ドア監視用コネクタ５１ｂなど）や各接続部（例えば、精算ボタン用接続部５０ｈ）が、メイン用中継基板５０及びサブ用中継基板５１を正面から見た場合に、露出するような開口が形成されている。この開口は、他の基板や機器からの配線の先端に取り付けられたコネクタなどを、中継基板５０，５１上のコネクタなどに嵌め込んだり、取り外したりすることを容易にするためのものである。
【００７３】
そして、カバー部５３の上方の突出部、下方の突出部には、ネジ穴５３ａが設けられている。ネジ穴５３ａと、前面ドア１ｂの裏面に設けられたネジ穴とにネジが挿入され、固定されることにより、カバー部５３が取り付けられたメイン用中継基板５０及びサブ用中継基板５１は、前面ドア１ｂの裏面に取り付けられる。
【００７４】
そして、図４に示すように、前面ドア１ｂの裏面において、メイン用中継基板５０の下方には、パネル部２８を照明するための冷陰極管のインバータ８３が配置されている。
【００７５】
前面ドア１ｂの裏面において、メダルセレクター８０の下方には、メダル投入口２２に投入されたメダルがメダル受け部１６に返却される場合に通過するためのメダル通路部８１が配置されている。
【００７６】
メダル通路部８１の上部の左側には、ドア監視センサ６５が配置されている。ドア監視センサ６５には、ボタン６５ａが設けられている。前面ドア１ｂが閉鎖されている場合には、ボタン６５ａは、筐体１ａに押され、前面ドア１ｂが開放されている場合には、ボタン６５ａは、筐体１ａに押されていない。ドア監視センサ６５は、前面ドア１ｂが閉鎖されている場合には、ボタンが押されていることを示す信号をドア監視ユニット６０に送信する。ドア監視ユニット６０のマイコン部６０ｃは、上記信号を受け取ると、前面ドア１ｂが閉鎖されていることを認識する。ドア監視センサ６５は、前面ドア１ｂが開放されている場合には、ボタンが押されていないことを示す信号をドア監視ユニット６０に送信する。ドア監視ユニット６０のマイコン部６０ｃは、上記信号を受け取ると、前面ドア１ｂが開放されていることを認識する。また、前面ドア１ｂの裏面の下方には、スピーカ２１Ｌ、２１Ｒが配置されている。
【００７７】
図６は、前面ドア１ｂが開放された状態において、遊技機１内の一部の機器を示す外観構成図である。図６に示すように、前面ドア１ｂの裏面に配置されたメイン用中継基板５０及びサブ用中継基板５１に配置された各コネクタ（例えば、ドア監視用コネクタ５１ｂ）、各接続部からの配線（例えば、配線５１ｆ）は、対応する基板や機器（例えば、ドア監視ユニット６０）と接続されている。なお、筐体１ａにおいては、各リール３Ｌ、３Ｃ、３Ｒの下方に、払い出されるメダルが収納されるホッパーと、メインスイッチの操作により遊技機１への電源供給を行う電源ユニット部１０１が配置されている。
【００７８】
図７は、図６において、窓部２７及びドア監視ユニット６０が配置されている前面ドア１ｂの一部を拡大した様子を示す図であり、図８は、ドア監視ユニット６０の構成を示す図であり、図９及び図１０は、ドア監視ユニット６０を前面ドア１ｂの裏面に取り付ける説明を行うための補足図である。
【００７９】
図７に示すように、前面ドア１ｂの裏面において、ドア監視ユニット６０は、サブ用中継基板５１の近傍の位置に設けられている。また、前面ドア１ｂの裏面において、ドア監視ユニット６０は、窓部２７の背面（遊技機１の正面側から見て背面）の位置近傍に配設されている。
【００８０】
図８に示すように、ドア監視ユニット６０の上端部には、ドア監視センサ６５からの配線の先端に取り付けられたコネクタを嵌め込ませるためのドア監視センサ用コネクタ６４と、サブ用中継基板５１からの配線の先端に取り付けられたコネクタを嵌め込ませるための中継基板用コネクタ６８と、が設けられている。なお、中継基板用コネクタ６８は、上述した第１ポート部６０ａを構成するものである。
【００８１】
ドア監視ユニット６０の内部に設けられている第２ポート部６０ｂは、ドア監視ユニット６０の厚さ方向（図８の紙面に対して垂直方向）において、ドア監視ユニット６０の一方の表面６６と反対側の表面（以下、ポート部側表面という）に近い位置に設けられている。ここで、ドア監視ユニット６０は、第２ポート部６０ｂが窓部２７から、赤外線信号を受信したり、窓部２７に、赤外線信号を送信できるような構成である。具体的には、例えば、ドア監視ユニット６０の上記厚さ方向において、第２ポート部６０ｂからポート部側表面に至るまでの領域６４の部分は、赤外線信号を通過可能な材料（例えば、樹脂など）で形成されている。
【００８２】
なお、ドア監視ユニット６０の内部に設けられている第２ポート部６０ｂは、ドア監視ユニット６０の厚さ方向（図８の紙面に対して垂直方向）において、ポート部側表面に遠い位置に設けられていてもよい。この場合にも、本発明の適用が可能であるが、赤外線通信の信号がドア監視ユニット６０に至るまでに減衰する量を可能な限り少なくするには、第２ポート部６０ｂは、ドア監視ユニット６０の厚さ方向において、ポート部側表面に近い位置に設けられていることが好ましい。
【００８３】
また、ドア監視ユニット６０の側部には、前面ドア１ｂの裏面にドア監視ユニット６０を取り付けるのに必要なネジを挿入するためのネジ穴６３が形成されている。
【００８４】
そして、図９に示すように、前面ドア１ｂの裏面には、ドア監視ユニット６０を取り付けるのに必要なネジを挿入するためのネジ穴９１、９２が設けられている。また、前面ドア１ｂの裏面には、ネジ穴９１の下方に、ドア監視ユニット６０の一部を挿入するための孔部９０が設けられている。
【００８５】
そして、図１０に示すように、ドア監視ユニット６０のポート部側表面と、前面ドア１ｂの裏面とが向き合うようにするとともに、ネジ穴６３とネジ穴９１との位置が合う位置で、ネジ穴６３及びネジ穴９１にネジが挿入されて固定されることにより、ドア監視ユニット６０は、前面ドア１ｂの裏面に取り付けられる。なお、ドア監視ユニット６０におけるネジ穴６３の配置によっては、ネジ穴６３及びネジ穴９２にネジが挿入されて固定されることにより、ドア監視ユニット６０は、前面ドア１ｂの裏面に取り付けられてもよい。
【００８６】
（作用効果）
このように構成された遊技機１においては、ドア監視ユニット６０は、サブ用中継基板５１の近傍に設けられているので、サブ用中継基板５１のドア監視用コネクタ５１ｂとドア監視ユニット６０の中継基板用コネクタ６８との間の配線（例えば、図６に示す配線５１ｆ）が短くなる。このため、ドア監視ユニット６０の配線（例えば、サブ用中継基板５１とドア監視ユニット６０との間の配線５１ｆ）が、他の配線（例えば、メイン用中継基板５０，サブ用中継基板と各基板や機器との間を接続するための配線）と入り交じってしまう事態が防止され、ドア監視ユニット６０の配線の存在により、遊技機１内に存在する配線が複雑に入り乱れることになってしまう事態が回避される。
【００８７】
また、副制御基板４０は、ドア監視ユニット６０から送られてきた監視履歴情報を液晶表示装置５に表示させることができる。このため、監視員などがホールコンピュータを介さないと、監視履歴情報を知ることができない場合に比べて、遊技機１の管理者、監視員などは、ホールコンピュータを介しなくても、手軽に、監視履歴情報を知ることができ、遊技機１の前面ドアが不正に開放されたことなどを簡易に知ることができる。
【００８８】
また、前面ドア１ｂの裏面において、窓部２７の近傍の位置に、ドア監視ユニット６０が設けられている。この際、ドア監視ユニット６０のポート部側表面と、前面ドア１ｂの裏面とが向き合うように、ドア監視ユニット６０が前面ドア１ｂの裏面に設けられている。このため、ドア監視ユニット６０の第２ポート部６０ｂと、窓部２７との間の距離は短くなり、この結果、ドア監視ユニット６０の第２ポート部６０ｂと、携帯電話７０との間の距離も短くなる。このため、ドア監視ユニット６０の第２ポート部６０ｂが、窓部２７から離れた位置に配置される場合に比べて、赤外線による通信信号がドア監視ユニット６０又は携帯電話７０に到達するまでに、減衰してしまうという事態が回避される。
【００８９】
また、副制御基板４０は、ドア監視ユニット６０及びサブ用中継基板５１を介して、携帯電話７０から送られてきた情報に関連する処理として、送られてきた所定のコンテンツを記憶したり、液晶表示装置５に表示させたり、スピーカ２１Ｌ、２１Ｒに出力させることができる。このため、携帯電話７０から送られてきた所定のコンテンツを記憶し、その後、適時、いろいろなコンテンツを液晶表示装置５に表示させたり、スピーカ２１Ｌ、２１Ｒに出力させることにより、遊技者に対して、変わった表示やＢＧＭが流れると感じさせ、遊技者に対して、何か遊技中に面白いことや自分に有利なことが起こるかもしれないという期待やスリルを抱かせることができる場合がある。
【００９０】
（変更例）
（１）上述した実施形態では、ドア監視ユニット６０は、前面ドア１ｂの裏面において、窓部２７の近傍に配置されていたが、本発明はこれに限定されず、前面ドア１ｂの裏面において、遊技機１の正面側から見て高さ方向及び横方向からなる２次元座標上で、窓部２７の領域のうち少なくとも一部の領域を含む領域に配置されてもよい。例えば、ドア監視ユニット６０は、前面ドア１ｂの裏面において、遊技機１の正面側から見て、窓部２７と重なる位置（具体的には、窓部２７の背面の位置）に、配置されてもよい。
【００９１】
また、副制御基板４０は、ドア監視ユニット６０から送られてきた監視履歴情報に基づいてエラー表示を液晶表示装置５に行わせるようにしてもよい。例えば、副制御基板４０は、各時間帯（例えば、ｐｍ５：００−１１：００など）に対応する開放回数（予め、監視員や作業員などにより、正当に前面ドア１ｂが開けられる回数）を示す開放回数テーブルを保持している。そして、副制御基板４０は、送られてきた監視履歴情報と、保持している開放回数テーブルとに基づいて、例えば、所定の時間帯の間における開放回数が、開放回数テーブルに示されている開放回数より多いような場合には、エラー表示を液晶表示装置５に行わせる。これにより、監視員などは、前面ドア１ｂが不正に開放されたことなどを知ることができる。
【００９２】
また、上述の実施形態では、副制御基板４０が、ドア監視ユニット６０による前面ドア１ｂの開閉に関連する処理を行っていたが、これに限定されず、例えば、主制御基板３０が、上記処理を行ってもよい。具体的には、主制御基板３０は、副制御基板４０を介して、ドア監視ユニット６０から送られてきた監視履歴情報を、所定の記憶部に記憶させたり、監視履歴情報に関するランプ表示（例えば、所定時間における開放回数を示すランプ表示）を監視履歴表示用のランプに行わせるようにしてもよい。
【００９３】
この場合、メイン用中継基板５０に、ドア監視ユニット６０からの配線の先端に取り付けられたコネクタを嵌め込ませるためのドア監視用コネクタが配置されていてもよい。これにより、主制御基板３０は、メイン用中継基板５０のドア監視用コネクタと主制御用コネクタ５０ｇを介して、ドア監視ユニット６０から送られてきた監視履歴情報を、所定の記憶部に記憶させたり、監視履歴情報に関するランプ表示（例えば、所定時間における開放回数を示すランプ表示）を監視履歴表示用のランプに行わせるようにしてもよい。
【００９４】
また、上述した実施形態では、遊技機１の外部にあってドア監視ユニット６０と非接触通信を行う通信装置が、携帯電話７０である場合の説明を行ったが、上記通信装置は、非接触通信を行える通信端末装置（例えば、携帯端末装置）であれば特に限定されない。    また、上述した実施形態では、ドア監視ユニット６０と携帯電話７０との間で行われる非接触通信として、赤外線通信の場合の説明を行ったが、これに限定されず、例えば、通信可能範囲が１０ｍ程度で、２．４ＧＨｚ帯域を用いる無線通信（具体的には、Bluetooth（商標）と呼ばれる無線通信などであってもよい。
【００９５】
また、上述の実施形態では、メイン用中継基板５０と、サブ用中継基板５１とは、別の構成であったが、これに限定されず、メイン用中継基板５０の機能及びサブ用中継基板５１の機能を有する１つの基板が前面ドア１ｂの裏面に配置されてもよい。
【００９６】
（２）また、上述した実施形態において、ドア監視ユニット６０との間で、赤外線通信を行うための通信モジュールが配置されていてもよい。そして、ドア監視ユニット６０のポート部側表面が前面ドア１ｂの裏面と向き合う位置に、ドア監視ユニット６０が配置されてもよいし、ドア監視ユニット６０のポート部側表面が筐体１ａと向き合う位置に、ドア監視ユニットが配置されてもよい。ドア監視ユニット６０のポート部側表面が筐体１ａと向き合う位置に、ドア監視ユニットが配置された場合、ドア監視ユニット６０は、通信モジュールとの間で、赤外線通信を行うことができる。これにより、ドア監視ユニット６０は、通信モジュール、外部集中端子板を介して、監視履歴情報をホールコンピュータに送信するようにしてもよい。
【００９７】
また、ドア監視ユニット６０において、第２ポート部６０ｂは２つ設けられてもよい。即ち、ドア監視ユニット６０は、携帯電話７０との間で、赤外線通信を行う第１の第２ポート部６０ｂと、通信モジュールとの間で、赤外線通信を行う第２の第２ポート部６０ｂとを有するようにしてもよい。
【００９８】
この場合、第１の第２ポート部６０ｂは、例えば、ドア監視ユニット６０の厚さ方向（紙面に対して垂直方向）において、ドア監視ユニット６０の一方の表面６６と反対側の表面に近い位置に設けられている。第２の第２ポート部６０ｂは、ドア監視ユニット６０の厚さ方向（紙面に対して垂直方向）において、ドア監視ユニット６０の一方の表面６６に近い位置に設けられている。そして、ドア監視ユニット６０は、第１の第２ポート部６０ｂが窓部２７から、赤外線信号を受信したり、窓部２７に、赤外線信号を送信できるような構成であるとともに、第２の第２ポート部６０ｂが通信モジュールから、赤外線信号を受信したり、通信モジュールに、赤外線信号を送信できるような構成である。
【００９９】
そして、ドア監視ユニット６０の一方の表面６６が筐体１ａと向き合う位置に、ドア監視ユニット６０が配置されてもよい。この場合、ドア監視ユニット６０は、監視履歴情報を副制御基板４０に送信するとともに、ホールコンピュータに送信することができる。
【０１００】
また、ドア監視ユニット６０の表面は、樹脂性のカバーで覆われていてもよい。このカバーにより、ドア監視ユニット６０にゴミが付着することが防止されるとともに、ドア監視ユニット６０の保護が可能となる。また、ドア監視ユニット６０の第２ポート部６０から赤外線の通信信号がカバーの外部に送信したり、カバーの外部から上記通信信号を受信できるようにするため、上記カバーの全て又は上記カバーの一部分は、赤外線の通信信号の通過が可能な樹脂で構成されていてもよい。
【０１０１】
以上、本発明の実施形態、その変更例の一例を説明したが、具体例を例示したに過ぎず、特に本発明を限定するものではなく、各手段の具体的構成等（例えば、ドア監視ユニット６０の構成、窓部２７の構成など）は、適宜設計変更可能である。また、実施形態やその変更例に記載された作用及び効果は、本発明から生じる最も好適な作用及び効果を列挙したに過ぎず、本発明による作用及び効果は、本発明の実施形態やその変更例に記載されたものに限定されるものではない。
【図面の簡単な説明】
【０１０２】
【図１】本実施形態の遊技機を示す正面図である。
【図２】本実施形態の遊技機において、前面ドアを開放した状態を示す外観模式図である。
【図３】本実施形態の遊技機を含む通信システムの構成を説明するための概略ブロック図である。
【図４】本実施形態の遊技機の正面側から見て、前面ドアの裏面を示す図である。
【図５】本実施形態のメイン用中継基板及びサブ用中継基板の構成を示す図である。
【図６】本実施形態において、前面ドアが開放された状態において、遊技機内の一部の機器を示す外観構成図である。
【図７】図６において、窓部及びドア監視ユニットが配置されている前面ドアの一部を拡大した様子を示す図である。
【図８】本実施形態のドア監視ユニットの構成を示す図である。
【図９】本実施形態のドア監視ユニットを前面ドアの裏面に取り付ける説明を行うための補足図である。
【図１０】本実施形態のドア監視ユニットを前面ドアの裏面に取り付ける説明を行うための補足図である。
【符号の説明】
【０１０３】
１…遊技機、１ａ…筐体、１ｂ…前面ドア、１ｃ…ヒンジ部、３Ｌ，３Ｃ，３Ｒ…リール、４Ｌ〜４Ｒ…表示窓、５…液晶表示装置、６…スタートレバー、７Ｌ，７Ｃ，７Ｒ…停止ボタン、７ａ…停止ボタン基板、８ａ…クロスダウンライン、８ｂ…トップライン、８ｃ…センターライン、８ｄ…ボトムライン、８ｅ…クロスアップライン、１０…台座部、１１、１２…ＢＥＴスイッチ、１２ａ…メダル投入基板、１５…メダル払出口、１７…遊技情報表示装置、１７ａ…遊技情報表示基板、２１Ｌ，２１Ｒ…スピーカ、２２…メダル投入口、２３…遊技状態表示部、２３ａ…遊技状態表示基板、２４…開放／打ち止め解除部、２５…メダル精算ボタン、２７…窓部、２８…パネル部、２９…情報入力部、２９ａ…情報入力基板、３０…主制御基板、４０…副制御基板、５０…メイン用中継基板、５０ａ…メダルセレクター用コネクタ、５０ｂ…停止ボタン用コネクタ、５０ｃ…副制御用コネクタ、５０ｃ…ＭＡＸ−ＢＥＴコネクタ、５０ｄ…１−ＢＥＴコネクタ、５０ｅ…スタートレバーコネクタ、５０ｆ…遊技情報表示用コネクタ、５０ｇ…主制御用コネクタ、５０ｈ…精算ボタン用接続部、５０ｉ…打ち止め解除用接続部、５０ｊ…打ち止め設定用スイッチ、５０ｋ…リセットスイッチ、５０ｌ…自動精算用スイッチ、５１…サブ用中継基板、５１ａ…入力基板用コネクタ、５１ｂ…ドア監視用コネクタ、５１ｃ…副制御用コネクタ、５１ｄ…スピーカ用コネクタ、５１ｅ…インバータ用コネクタ、５１ｆ…配線、５３…カバー部、５３ａ…ネジ穴、６０…ドア監視ユニット、６０ａ…第１ポート部、６０ｂ…第２ポート部、６０ｃ…マイコン部、６０ｄ…フラッシュＲＯＭ、６３…ネジ穴、６４…ドア監視センサ用コネクタ、６５…ドア監視センサ、６８…中継基板用コネクタ、７０…携帯電話、８０…メダルセレクター、８１…メダル通路部、８１…冷陰極管、８２、８３…インバータ、９１、９２…ネジ穴。
【図１】
2005348942.tif 000003
【図２】
2005348942.tif 000004
【図３】
2005348942.tif 000005
【図４】
2005348942.tif 000006
【図５】
2005348942.tif 000007
【図６】
2005348942.tif 000008
【図７】
2005348942.tif 000009
【図８】
2005348942.tif 000010
【図９】
2005348942.tif 000011
【図１０】
2005348942.tif 000012